(57)【特許請求の範囲】
【請求項１】
旋回流を用いてボウルのボウル面を洗浄し、前記ボウルの底部に設けられた排水口部から洗浄水を排出する水洗便器であって、封水面より下の前記ボウルの左右方向の一方側の前記ボウル面に位置し前記旋回流が衝突して流れを前記排水口部に向けるためのガイド手段と、前記ボウルの左右方向の他方側の上部に位置し、前記ボウル面に前記旋回流を供給する水供給部と、前記封水面より下の前記ボウルの左右方向の他方側の前記ボウル面の底部の前記排水口部の手前部分に位置し、汚物が前記ボウル内を旋回流により流されて移動するのを抑制する側面を有する高底部と、を備え、前記側面は前記排水口部の上開口に隣接することを特徴とする水洗便器。
【請求項２】
前記ボウル面に、前記旋回流が衝突して流れを前記排水口部に向けるための突出部を形成して前記ガイド手段が構成されることを特徴とする請求項１記載の水洗便器。
【請求項３】
前記突出部の前記排水口部側の側面が、前記排水口部の内側面と平滑な面で連続することを特徴とする請求項２記載の水洗便器。
【発明の詳細な説明】
【技術分野】
【０００１】
本発明は、水洗便器に関するものである。
【背景技術】
【０００２】
水洗便器において一度に使用する洗浄水量は、節水化が進むにつれて年々少なくなってきている。しかし、一度に使用する洗浄水量を少なくなると洗浄性能が悪くなる。
【０００３】
そこで、少ない洗浄水量でボウル面全体をむらなく汚れを落とす手法として、洗浄水をボウル内部で旋回させて洗い落とす方法が特許文献１等により提案されている。
【０００４】
特許文献１に示される水洗便器における洗浄は、（１）前通水（ボウル面の水没されていない部分の洗浄）、（２）排出（汚物を排出）、（３）後通水（ボウル内に水を溜める）の過程で行われる。
【０００５】
そして、この（１）〜（３）の過程で、図１２に示されるように、ボウル１の後部の左右方向の一側に設けられた水供給部４を構成する射水口から洗浄水を供給してボウル面２を旋回しながら洗い流し、その後、ボウル１内に水を溜める。
【先行技術文献】
【特許文献】
【０００６】
【特許文献１】特開２００８−１３８４１９号公報
【発明の概要】
【発明が解決しようとする課題】
【０００７】
しかし、上記従来例において、（２）の排出中にも旋回流を流すと、洗浄水は図１２の矢印に示すように、排水口部４に対して斜め方向に流れながら排出されるため、排水口部４付近で乱流が起こり、特に、下痢状の便が排出できずに残る場合がある。
【０００８】
本発明は上記の点に鑑みて発明したもので、少ない洗浄水量で汚物の排出性能が良い水洗便器を提供するにある。
【課題を解決するための手段】
【０００９】
本発明の水洗便器は、旋回流を用いてボウルのボウル面を洗浄し、前記ボウルの底部に設けられた排水口部から洗浄水を排出する水洗便器であって、封水面より下の前記ボウルの左右方向の一方側の前記ボウル面に、前記旋回流が衝突して流れを前記排水口部に向けるためのガイド手段と、前記ボウルの左右方向の他方側の上部に位置し、前記ボウル面に前記旋回流を供給する水供給部と、前記封水面より下の前記ボウルの左右方向の他方側の前記ボウル面の底部の前記排水口部の手前部分に位置し、汚物が前記ボウル内を旋回流により流されて移動するのを抑制する側面を有する高底部と、を備え、前記側面は前記排水口部の上開口に隣接することを特徴とする。
【００１０】
また、前記ボウル面に、前記旋回流が衝突して流れを前記排水口部に向けるための突出部を形成して前記ガイド手段が構成されることが好ましい。
【００１１】
また、前記突出部の前記排水口部側の側面が、前記排水口部の内側面と平滑な面で連続することが好ましい。
【発明の効果】
【００１３】
本発明は、封水面より下のボウル面に、旋回流が衝突して流れを排水口部に向けるためのガイド手段を備えるので、旋回流を排水口部にスムーズに流し、排水口部付近で旋回流による乱流が起きるのを抑制できる。これにより、旋回流による少ない洗浄水量で汚物の排出性能を良くすることが可能となる。
【図面の簡単な説明】
【００１４】
【図１】本発明の一実施形態の斜視図である。
【図２】同上のボウルの平面図である。
【図３】同上の図２のＡ−Ａ線の断面図である。
【図４】同上の図２のＢ−Ｂ線の断面図である。
【図５】同上の図２のＣ−Ｃ線の断面図である。
【図６】同上の図２のＥ−Ｅ線の断面図である。
【図７】同上の図２のＤ−Ｄ線の断面図である。
【図８】同上の図７のＦ−Ｆ線の断面図である。
【図９】同上の図７のＧ−Ｇ線の断面図である。
【図１０】同上のボウルの一部破断斜視図である。
【図１１】同上のトラップ筒の回動を示す説明図である。
【図１２】従来例を示す旋回流の流れを示す平面図である。
【発明を実施するための形態】
【００１５】
以下、本発明を添付図面に示す実施形態に基づいて説明する。
【００１６】
水洗便器５は図１に示されるように、ボウル１を備えており、ボウル１の底部３の後部には排水口部４が設けられる。
【００１７】
排水口部４は、図６、図７に示されるように、縦筒部１３の下部に横筒部１４が一体に連続した略Ｌ状の筒形状をしており、縦筒部１３の上端開口がボウル１の底部３に上方に向けて開口し、横筒部１４の後端が後方に向けて開口する。
【００１８】
排水口部４の横筒部１４の後端部には、図１１に示されるように、トラップの一端部が接続される。本実施形態では洗浄方式をターントラップ方式としており、フレキシブルなトラップ筒１５を有して構成される。
【００１９】
トラップ筒１５は、モータ（図示せず）により図１１の実線で示す姿勢から図１１の一点鎖線で示す姿勢に回動する。また、モータが逆回転で、図１１の一点鎖線で示す姿勢から図１１の実線で示す姿勢に回動する。
【００２０】
図１１の実線で示すトラップ筒１５の先端開口が上方を向く姿勢はトラップ構造となる姿勢であり、図１１の一点鎖線で示すトラップ筒１５の先端開口が下方を向く姿勢はトラップ構造が解除されて洗浄水を排出する姿勢である。
【００２１】
ここで、図１１の実線で示すトラップ筒１５の先端開口が上方を向くトラップ構造となる姿勢の場合、ボウル１内に洗浄水が溜められる。この場合、洗浄水はほぼトラップ筒１５の先端開口位置が水位となり、ボウル１内におけるこの水位位置が封水面１１となる。
【００２２】
ボウル１の上部にはボウル面２に旋回流を供給する水供給部１０が設けられる。本実施形態では、ボウル１の左右方向のいずれか一方側の上部にボウル面２に旋回流を供給する水供給部１０が設けられる。具体的には、図２、図１０に示されるように、ボウル１の左右方向のいずれか一方（実施形態では左側）の上部後端部に水供給部１０が設けられる。この水供給部１０には洗浄水を供給する管路先端のノズル（図示せず）が嵌め込み接続されて洗浄水が供給される。
【００２３】
ボウル１の上端には図示を省略しているがリム部が一体に固着され、ボウル１上端縁部とリム部とで側方に開口する周溝部２０が形成される。図ではリム部の図示が省略されているので、ボウル１の上端部で構成される周溝部２０の下半分のみが示されている。
【００２４】
また、ボウル１の水供給部１０の前部には図２、図１０に示されるように、周溝部２０の側方開口を塞ぐ壁体２１が形成され、周溝部２０の壁体２１で塞がれた部分が誘導水路部２２となり、この誘導水路部２２部分の出口部分が周溝部２０の始端部となる。
【００２５】
水供給部１０から供給される洗浄水は、誘導水路部２２で前方に向けて誘導されて周溝部２０の始端部から勢い良く流出し、周溝部２０に沿って旋回流となって流れる。
【００２６】
周溝部２０に沿って旋回流となって流れる洗浄水は、周溝部２０の側方開口の周方向の各部から少しずつボウル面２に旋回流となって流れて、ボウル面２を周方向において万遍なく洗浄する。
【００２７】
封水面１１より下の前記ボウル面２には、洗浄水の旋回流が衝突して流れを排水口部４に向けるためのガイド手段６を有する。
【００２８】
本実施形態においては、図１−図４、図７−図１０に示されるように、旋回流が衝突して流れを排水口部４に向けるための突出部７がボウル面２に形成されてガイド手段６を構成している。
【００２９】
突出部７は、図２、図１０に示すように、ボウル１の左右方向のいずれか一方で且つ水供給部１０を設けた側とは反対側のボウル面２に突出形成される。
【００３０】
また、この突出部７は、排水口部４の上開口の一側から上開口の手前にかけて、ボウル面２の一側面からボウル１内に向けて突出形成される。
【００３１】
突出部７の排水口部４より手前の部分の前面は旋回流衝突面２３となっている。この旋回流衝突面２３は、図９に示すように平面視でボウル面２の突出部７を突出していない部位とのなすコーナ部分５０が鈍角となり、このコーナ部分５０から離れるほど排水口部４側に近づくように傾斜する（添付図面では曲面状に傾斜した例を示す）。
【００３２】
突出部７の排水口部４側の側面８は、排水口部４の内側面９と滑らか面で連続している。
【００３３】
封水面１１より下のボウル面２の底部３には、排水口部４の手前の部分の左右方向の片側に高底部１６が形成され、他の片側に高底部１６よりも低い窪み部１７が形成される。
【００３４】
高底部１６は、図１−図４、図６、図８−図１０に示されるように、ボウル１の左右方向において、突出部７が形成された方と反対側に形成され、窪み部１７は、高底部１６と突出部７との間に形成される。
【００３５】
また、高底部１６は、図２、図４、図１０に示されるように左右方向において水供給部１０を設けた側に位置する。また、窪み部１７は、図２、図４、図１０に示されるように左右方向において水供給部１０を設けた側と反対側に位置する。
【００３６】
高底部１６の排水口部４の上開口に隣接する側面２４は、図５に示されるように、略起立姿勢をした急な側面となっていて、排水口部４の内面２５を上方にそのまま延長して連続することで上記側面２４が形成される。
【００３７】
また、高底部１６の窪み部１７に隣接する側面２６は、図４に示されるように、緩やかに傾斜した曲面となっていて窪み部１７に連続している。
【００３８】
窪み部１７は排水口部４の上開口側程下となるように下り傾斜している。
【００３９】
上記の構成の水洗便器５は、図１１の実線のようにトラップ筒１５の先端開口が上方を向く姿勢において、ボウル１内に洗浄水が溜められているので、この状態で、大便や小便等の用便を行う。
【００４０】
用便を行った後の洗浄は、下記の（１）〜（３）の過程で行われる。
【００４１】
まず、（１）水供給部１０から洗浄水を供給して旋回流として流して前通水（ボウル面の水没されていない部分の洗浄）を行う。（２）引き続き洗浄水の供給を継続して旋回流として流し、同時に、トラップ筒１５を先端開口が下方を向くように回動して汚物を排出する。（３）その後、洗浄水の供給を継続しながらトラップ筒１５を先端開口が上方を向くように逆回動し、ボウル１内に洗浄水を溜める。
【００４２】
ここで、上記洗浄過程において、前述のように、水供給部１０から洗浄水が供給されて旋回流となって、ボウル面２を流れて洗浄する。この場合、上記洗浄過程（２）において、洗浄水がボウル面２を上から下に周方向に旋回しながら流れ、底部近くになると、図８の矢印Ｐのように、高底部１６上及び高底部１６に連続するボウル面２の側面下部を後から前に向けて旋回しながら流れる。次に、図８、図９の矢印Ｑのように、突出部７の旋回流衝突面２３に衝突し、流れが排水口部４に向くようにガイドされ、窪み部１７を通って排水口部４内に流れ込む。
【００４３】
また、旋回流衝突面２３の上部に衝突した洗浄水の一部が突出部７の側面に沿って斜め下向きに排水口部４側に向けてガイドされるが、この洗浄水は、突出部７の排水口部４側の側面８が、排水口部４の内側面９と滑らか面で連続しているのでスムーズに排出口部４に流れ込む。
【００４４】
これらの理由により、本実施形態は、洗浄水が旋回流のまま排水口部４に流れる場合に排水口部４付近で発生する乱流を抑制し、洗浄水を排水口部４にスムーズに流すことが可能となる。
【００４５】
このため例えば下痢状の便を排出する場合、従来のように旋回流の向きを排水口部４側に向けるようにガイドすることなく排水すると、下痢状の便が旋回流に乗ってボウル１内を漂うおそれがあるが、本実施形態は、下痢状の便であってもスムーズに排出可能となる。
【００４６】
なお、汚物が排出される上記洗浄過程（１）の前通水で洗浄水が旋回すると汚物がボウル１内を旋回流により流され、排水口部４内の汚物が排水口部４から底部３に押し上げられたり、あるいは、底部３の排水口部４から離れた位置に移動させられる恐れがある。
【００４７】
したがって、上記のように排水口部４内の汚物が排水口部４から底部３に押し上げられたり、あるいは、底部３の排水口部４から離れた位置に移動させられると、上記洗浄過程（２）において汚物を排出する際汚物の後から流れる洗浄水量が少なくなる。
【００４８】
そして、汚物が下水管内を洗浄水により搬送される距離（汚物搬送距離）は、汚物の後から流れる洗浄水量が多い程長くなり、汚物の後から流れる洗浄水量が少ない程短くなる。
【００４９】
このため、上記のように、汚物を排出する際汚物の後から流れる洗浄水量が少なくなると、汚物が洗浄水により下水管の中を搬送される汚物搬送距離が短くなり、下水管内部で汚物が詰まる原因となる。
【００５０】
しかし、本実施形態は、ボウル面２の底部の排水口部４の手前の部分の左右方向の片側に高底部１６が形成されているので、上記洗浄過程（１）の前通水で洗浄水が旋回しても、汚物がボウル１内を旋回流により流されて移動するのが高底部１６により抑制される。
【００５１】
つまり、排水口部４内の汚物が排水口部４から底部３に押し上げられたり、あるいは、底部３の排水口部４から離れた位置に移動させられたりするのが抑制される。
【００５２】
これにより、洗浄過程（２）において、トラップ筒１５を先端開口が下方を向くように回動すると、まず排水口部４内に溜まっていた汚物が排水口部４内の水といっしょにトラップ筒１５側に流されてトラップ筒１５の先端開口から下水管に向け排出される。引き続いてボウル１内に溜まっていた水が汚物の後から排水口部４、トラップ筒１５の順に流れてトラップ筒１５の先端開口から下方に排出される。
【００５３】
したがって、下水管を汚物が搬送される際、汚物の後ろ側にある洗浄水量が多くなり、汚物搬送距離を長くすることが可能となる。
【００５４】
また、汚物が排出された後から流れる汚物を含まない洗浄水量が多くなるので、汚物が排出された後の排水口部４、トラップ筒１５の洗浄効果が向上する。
【００５５】
なお、前記実施形態においては、ボウル面２の底部には、排水口部４の手前の部分の左右方向の片側に高底部１６が形成され、他の片側に高底部１６よりも低い窪み部１７が形成された例を示したが、高底部１６、窪み部１７が形成されないものであってもよい。
【００５６】
また、前記実施形態においては、ボウル面２に突出部７を形成してガイド手段６を構成した例を示したが、ガイド手段６としては、旋回流が衝突して流れを排水口部４に向けるためのものであれば、突出部７にのみ限定されない。例えば、ボウル面２にガイド溝を形成し、このガイド溝に旋回流が衝突して流れを排水口部４に向けるため衝突面を設けてもよい。もちろん、ガイド手段６としては他の形態であってもよい。
【符号の説明】
【００５７】
１  ボウル
２  ボウル面
３  底部
４  排水口部
５  水洗便器
６  ガイド手段
７  突出部
８  側面
９  内側面
１０  水供給部
１１  封水面
【図１】
0005914820.tif 000002
【図２】
0005914820.tif 000003
【図３】
0005914820.tif 000004
【図４】
0005914820.tif 000005
【図５】
0005914820.tif 000006
【図６】
0005914820.tif 000007
【図７】
0005914820.tif 000008
【図８】
0005914820.tif 000009
【図９】
0005914820.tif 000010
【図１０】
0005914820.tif 000011
【図１１】
0005914820.tif 000012
【図１２】
0005914820.tif 000013